(57)【要約】【課題】異常な原因による振動板のメインドームに永久的な変形が残留することを防止するような発音体の構造を提供すること。【解決手段】フレームに一体化された磁気回路と、前記枠体に周縁部を支持され、かつ前記磁気回路が形成するリング状の磁気空隙内に挿入される円筒状のコイルを固着した振動板と、放音孔を有して周縁部が前記枠体に保持され、かつ前記該振動板の外側を保護するプロテクターを有する発音体において、前記振動板のメインドームの少なくとも中心部分の断面形状、および前記プロテクターの前記メインドームに面した部分の少なくとも中心部分の断面形状を、共に前記発音体の内側に向けて突出させたこと。また更にトッププレートの振動板側の表面の形状を凹面としたこと。【選択図】      図１
2004179698.tif 000002
【特許請求の範囲】
【請求項１】
フレームに一体化された磁気回路と、前記枠体に周縁部を支持され、かつ前記磁気回路が形成するリング状の磁気空隙内に挿入される円筒状のコイルを固着した振動板と、放音孔を有して周縁部が前記枠体に保持され、かつ前記該振動板の外側を保護するプロテクターを有する発音体において、前記振動板のメインドームの少なくとも中心部分の断面形状、および前記プロテクターの前記メインドームに面した部分の少なくとも中心部分の断面形状を、共に前記発音体の内側に向けて突出させたことを特徴とする発音体の構造。
【請求項２】
前記振動板のメインドームの少なくとも中心部分の断面形状、前記プロテクターの前記メインドームに面した部分の少なくとも中心部分の断面形状、および更にトッププレートの振動板側の表面の形状を凹面としたことを特徴とする請求項１の発音体の構造。
【発明の詳細な説明】
【０００１】
【発明の属する技術分野】
本発明は例えば携帯電話機等の電子情報機器に組み込まれて使用される、レシーバー又はスピーカーの機能を有する小型の発音体の構造に関する。
【０００２】
【従来の技術】
図２は従来の発音体の一例の発音体の断面図である。発音体のおおまかな形状は断面図より推測される通り平たい円筒形、楕円形あるいは方形である。図において１はフレームで、枠状に成形された樹脂製で発音体の各部品を支持し固着する。２は磁気回路の一部をなすヨークであり軟磁性材料より成り、その外周部はフレーム１にインサートモールドされて一体化している。３は永久磁石で円盤形をなし軸方向に着磁され、ヨーク２の中心部に固着されている。そしてその頂部には軟磁性材料より成り磁気回路の一部をなすトッププレート４が固着されている。
【０００３】
５は音響駆動用の円筒形のコイルであり、ヨーク２とトッププレート４が作るリング状の磁気空隙内に挿入されている。６は振動板であり樹脂フィルム製で、コイル５を下面に固着し、コイル５に流れる音声電流によって振動板６が振動する。振動板６はフレーム１内で可能な限り大きい寸法を与えられる。プロテクター７は薄く脆弱な振動板６を保護するための皿状の金属板で放音孔６ａを有し、振動板６とほぼ同じ外形を有して振動板６とプロテクター７の周縁部は共にフレーム１の外周内縁に設けられた凹部１ａ内の段付き部分に固着されている。
【０００４】
振動板６の周縁部の内側は振動を容易にさせるため断面に多数の襞を伴う屈曲形状を与えられ、またコイル５よりも内側の部分６ａはメインドームと呼ばれ、適度な剛性を付与するため比較的単純な凸面または凹面等の屈曲形状を与えてある。本従来例においてはメインドーム６ａは、終縁部では外側に凸であるが、中心部では凹（磁気回路側に凸）となるような面形状としてある。またプロテクター７の内面は通常大部分が平面である。
【０００５】
【発明が解決しようとする課題】
例えば携帯電話機を落下させたような場合、振動板が強い衝撃によって大きく撓んだり、また振動板の内側（磁気回路側）の後気室と呼ばれる部分の空気圧が急激に高まった場合に振動板に永久的な変形が残り得る。なお、後気室とは振動板の背後の磁気回路側の空間を言う。スピーカーの振動の音響特性を良くするため、後気室は密閉されずにフレームに設けた専用の穴や切欠き等の通路によって発音体外部の空間に通じているので、外部からの圧力変化が後気室に導入されることがある。
【０００６】
このような異常な力によって、例えば図２に点線で示したような永久的な変形部６ｂがメインドーム６ａに残る場合がある。（この場合はメインドーム６ａの中央部が反転して凹凸が逆になっている。）このように振動板が変形すると、その本来の音響特性が崩れて、スピーカーの音量、音質あるいは周波数特性等が本来の特性よりも悪化することが多い。
本発明の目的は、異常な原因による振動板のメインドームに永久的な変形が残留することを防止するような発音体の構造を提供することである。
【０００７】
【課題を解決するための手段】
上記目的を達成するため本発明の発音体は次の特徴を備える。
（１）フレームに一体化された磁気回路と、前記枠体に周縁部を支持され、かつ前記磁気回路が形成するリング状の磁気空隙内に挿入される円筒状のコイルを固着した振動板と、放音孔を有して周縁部が前記枠体に保持され、かつ前記該振動板の外側を保護するプロテクターを有する発音体において、前記振動板のメインドームの少なくとも中心部分の断面形状、および前記プロテクターの前記メインドームに面した部分の少なくとも中心部分の断面形状を、共に前記発音体の内側に向けて突出させたこと。
【０００８】
本発明の発音体は更に以下の特徴を備えることがある。
（２）前記振動板のメインドームの少なくとも中心部分の断面形状、前記プロテクターの前記メインドームに面した部分の少なくとも中心部分の断面形状、および更にトッププレートの振動板側の表面の形状を凹面としたこと。
【０００９】
【発明の実施の形態】
図１は本発明の実施の形態の一例である発音体の断面図である。本発明に関係する部分を除き図２に示した従来例と同様であるので、各図の共通部分については改めて説明することを省略する。本例における従来例との相違点は、プロテクター７の中央部に内側（磁気回路側）向きの凸面が形成された凸部７ｂを設けたことである。
【００１０】
このような構成により、例えば振動板６の後気室内の圧力が急増した場合、振動板のメインドーム６ａは図２の６ｂのように外側に反転し突出しようとするが、同時にメインドーム６ａは空圧のため外方向に大きく変位してプロテクター７の凸部７ｂの内面（図の下面）に強く押しつけられるので、反転変形は防止される。また衝撃力に起因する慣性によって振動板６が外方向に変位しプロテクター７側に押しつけられた場合も、凸部７ｂはメインドーム６ａの変形を許さないことになる。
【００１１】
本発明の実施の形態については、上述の形態のみならず種々の変形や他の形態の例が考えられるのでそれらについて言及しておく（図示は省略する）。
まず異常な事態の起こり方（圧力の方向や衝撃の方向等）によっては、振動板６が内側に変位し、メインドーム６ａがトッププレート４の表面と接触する場合があり得る。従ってトッププレート４の表面にもプロテクター７の内面同様にメインドーム６ａの変形を防止し得るような形状を与えておくことが好ましい。本例においても変形防止の作用は、過大に変位した振動板の少なくとも中心部をなるべく広い面積で、凹凸が反転しないように（本来の凹凸にほぼ沿った形状で）受け止めることにある。
【００１２】
その変形例も改めて図示しないが、メインドーム６ａの中心部の本来の形状が図１または図２のように内側に凸面であるならプロテクター７の表面を凹面にしておけばよい。この場合、トッププレート４自体の形はそれぞれ永久磁石３の側が平らな平凹レンズに似た形状になる。
【００１３】
【発明の効果】
本発明においては、プロテクターの内面に振動板のメインドームの形状と対応する形状を与えたことにより、異常な力が作用した場合の振動板の永久変形を防止することができた。また更にトッププレートの形状をも改めることにより、異なる方向の異常な力が作用した場合でも振動板の永久変形を防止することができた。
【図面の簡単な説明】
【図１】本発明の実施の形態の一例である発音体の断面図である。
【図２】従来の発音体の一例の発音体の断面図である。
【符号の説明】
１  フレーム
１ａ  凹部
２  ヨーク
３  永久磁石
４  トッププレート
５  コイル
６  振動板
６ａ  メインドーム
６ｂ  変形部
７  プロテクター
７ａ  放音孔
７ｂ  凸部
【図１】
2004179698.tif 000003
【図２】
2004179698.tif 000004